(57)【要約】【課題】衝撃による影響を受けやすいハードディスクドライブなどの記録装置への物理的な衝撃によるデータ永久破壊を防止することのできる情報記録再生装置を提供することを目的とする。【解決手段】制御回路２はハードディスクドライブ３、４に対し、常にどちらかのハードディスクドライブのヘッドが衝撃保護領域に退避されていることを確認しながら交互にデータの読み書きを行う。例えば、ハードディスクドライブ３がデータの読み書き中は、ハードディスクドライブ４のヘッドを衝撃保護領域に退避させておく。【選択図】図２
2006134463.tif 000002
【特許請求の範囲】
【請求項１】
衝撃による影響を受けやすい複数の記録装置と、前記複数の記録装置をそれぞれ個別にデータの記録・再生の制御を行う制御装置とを備え、データの記録・再生時、前記制御装置は前記複数の記録装置のうち、少なくとも１つの記録装置を衝撃保護状態に確実に遷移させるように制御することを特徴とする情報記録再生装置。
【請求項２】
１つの筐体内に衝撃による影響を受けやすい複数のデータ記録再生手段を有する記録装置と、前記複数のデータ記録再生手段をそれぞれ個別にデータの記録・再生の制御を行う制御装置とを備え、データの記録・再生時、前記制御装置は前記複数のデータ記録再生手段のうち、少なくとも１つのデータ記録再生手段を衝撃保護状態に確実に遷移させるように制御することを特徴とする情報記録再生装置。
【請求項３】
記憶装置はハードディスクドライブであり、衝撃保護状態への遷移はヘッドを退避することであることを特徴とする請求項１または請求項２記載の情報記録再生装置。
【請求項４】
個別に複数の記録手段にデータの記録・再生の制御を行う情報記録再生制御方法において、少なくとも１つの第１の記録手段を衝撃保護状態に確実に遷移させる手順と、衝撃保護状態に確実に遷移していることを確認する手順と、衝撃保護状態に確実に遷移していることを確認した後、第２の記録手段に記録・再生を行わせる手順とを有する情報記録再生制御方法。
【請求項５】
第２の記録手段に記録を行った後、少なくとも１つの第２の記録手段を衝撃保護状態に遷移させる手順と、衝撃保護状態に確実に遷移していることを確認する手順と、衝撃保護状態に確実に遷移していることを確認した後、それまで衝撃保護状態にあった第１の記録手段に第２の記録手段と同じデータを記録する手順とを有する請求項４記載の情報記録再生制御方法。
【発明の詳細な説明】
【技術分野】
【０００１】
本発明は、衝撃による影響を受けやすいハードディスクドライブなどの記録装置を備えた情報記録再生装置およびその制御方法に関するものである。
【背景技術】
【０００２】
従来のハードディスクドライブなどの記録装置を用いた情報記録再生装置における障害発生時のデータ復旧を実現する手段として、ＲＡＩＤ方式（複数のハードディスクドライブをまとめて１台のハードディスクドライブとして管理する技術）によるものや、単にバックアップ用のハードディスクドライブを備えたものなどがある（例えば特許文献１参照）。
【０００３】
図４は従来の情報記録再生装置の構成例を示すものであり、図５は情報記録再生装置の動作手順を示したフローチャートである。
【０００４】
図４において、１０は中央処理装置、２０はハードディスクドライブの制御回路、３０、４０は制御回路２０によりデータが書き込み読み出しされるハードディスクドライブである。
【０００５】
中央処理装置１０からのデータ読み書き要求に対し、制御回路２０はハードディスクドライブ３０、４０に同じ内容を書き込む。そして、例えばハードディスクドライブ３０に障害が発生した場合、ハードディスクドライブ３０を交換し、その後、交換された正常なハードディスクドライブにハードディスクドライブ４０のデータをすべてコピーする。
【０００６】
これにより、１台（あるいは方式によっては複数台）のハードディスクドライブの障害が発生した場合も、他の障害が発生していないハードディスクドライブに残されたデータを利用してデータの復旧を可能としていた。
【特許文献１】特開平４−２３１９４号公報
【発明の開示】
【発明が解決しようとする課題】
【０００７】
しかしながら、上記の従来構成では、例えば、情報記録再生装置がデータの記録・再生中に落下などの物理的な衝撃を受けた場合、同時にすべてのハードディスクドライブに作用し、その衝撃によりすべてのハードディスクドライブが障害を受けた場合に、データの復旧を行えないという課題を有していた。つまり、従来のハードディスクドライブの障害はハードディスクドライブで個別に発生するようなものを想定しており、同時に起きる障害、つまり、ハードディスクドライブのヘッドがメディア上に位置している状態で情報記録再生装置の落下などによる衝撃を受けた場合、メディアやヘッドの損傷といった障害がすべてのハードディスクドライブに同時に発生してしまうということまでは想定していなかった。
【０００８】
本発明は、上記従来の課題を解決するもので、衝撃による影響を受けやすいハードディスクドライブなどの記録装置への物理的な衝撃によるデータ永久破壊を防止することのできる情報記録再生装置を目的とする。
【課題を解決するための手段】
【０００９】
上記従来の課題を解決するために、本発明の情報記録再生装置は、衝撃による影響を受けやすい複数の記録装置と、複数の記録装置をそれぞれ個別にデータの記録・再生の制御を行う制御装置とを備え、データの記録・再生時、制御装置は複数の記録装置のうち、少なくとも１つの記録装置を衝撃保護状態に確実に遷移させ、他の記録装置でデータの記録・再生を行う制御を行うことを特徴とする。
【００１０】
本構成によって、複数の記録装置に同じデータを記録しておくことにより、データの信頼性を向上させつつ、他の記録装置が記録・再生の状態で、衝撃による影響を受けない記録装置を常に１台以上存在させることを実現し、情報記録再生装置の落下などによる衝撃で記録・再生状態の記録装置が障害を受けた場合でもデータの復旧が行える。
【発明の効果】
【００１１】
本発明の情報記録再生装置および制御方法によれば、情報記録再生装置の落下などの物理的な衝撃による記録装置のデータ永久破壊を防止することができる。
【発明を実施するための最良の形態】
【００１２】
以下本発明を実施するための最良の形態について、図面を参照しながら説明する。
【００１３】
（実施の形態１）
図１は、本発明の実施の形態１における情報記録再生装置の構成例を示した図である。図１において、１は中央処理装置、２はハードディスクドライブの制御回路、３、４は制御回路２によりデータが書き込み読み出しされるハードディスクドライブである。制御回路２は、ハードディスクドライブ３、４をそれぞれ個別に制御する。図２は本制御方法の動作手順を示したフローチャートである。
【００１４】
図１において、中央処理装置１からのデータ読み書き要求に対し、制御回路２はハードディスクドライブ３、４に対し、常にどちらかのハードディスクドライブのヘッドがそれぞれの衝撃保護領域に退避されていることを確認しながら、交互にデータの読み書きを行う。例えば、ハードディスクドライブ３がデータの読み書き中は、ハードディスクドライブ４にヘッド退避コマンドを発行し、ハードディスクドライブ４のヘッドを衝撃保護領域に退避させておき、ハードディスクドライブ３の読み書きが終了し、ハードディスクドライブ３にヘッド退避コマンドを発行し、ハードディスクドライブ３のヘッドが衝撃保護領域に退避したことを確認した後、ハードディスクドライブ４の読み書きを行う。データの書き込みの場合は、ハードディスクドライブ３のヘッドが衝撃保護領域に退避したことを確認した後、ハードディスクドライブ３と同じ内容のデータをハードディスクドライブ４にも書き込む。その後、再びハードディスクドライブ４にヘッド退避コマンドを発行し、ハードディスクドライブ４のヘッドを衝撃保護領域に退避させる。
【００１５】
このようにすれば、一方のハードディスクドライブ３（あるいは４）のデータ読み書き中に情報記録再生装置の落下などによる衝撃が発生し、ハードディスクドライブ３（あるいは４）が障害を受けた場合は、ハードディスクドライブ３（あるいは４）を正常なハードディスクドライブと交換すると共に、片方の衝撃の影響を受けていないハードディスクドライブ４（あるいは３）のすべてのデータを、新しく交換された正常なハードディスクドライブにコピーすることにより、データの復旧が可能となる。
【００１６】
なお、本実施の形態として２台のハードディスクドライブを用いたが、２台以上の複数台を用いても良い。その場合も常に１台以上のハードディスクドライブのヘッドが衝撃保護領域に退避されていることを確認しながら、データの読み書きを行う。
【００１７】
このように、データの記録・再生中、少なくとも１台のハードディスクドライブのヘッドが衝撃保護領域に退避しているため、他のハードディスクドライブがデータ読み書き中に、衝撃で障害を受けたとしても、ヘッドが衝撃保護領域に退避しているハードディスクドライブのデータは破壊されることがないため、再び、そのデータを正常なハードディスクドライブにコピーすることにより使用することができる。
【００１８】
また、本実施の形態としてハードディスクドライブを用いたが、衝撃保護状態への遷移を有するものであれば、他の情報記録再生装置でも同様である。
【００１９】
（実施の形態２）
図３は、本発明の実施の形態２における情報記録再生装置の構成例を示した図である。図３において、実施の形態１における図１と同じ構成要素については同じ符号を用い、説明を省略する。図１と異なるところは、図１の２台のハードディスクドライブを、１つの筐体内に２つのデータ記録再生ユニットを有する１台のハードディスクドライブとした点である。
【００２０】
図３において、ハードディスクドライブ５は内部にそれぞれ個別に制御可能なデータ記録再生ユニット５ａ、５ｂを有した構成となっている。その制御方法は、図２のフローチャートにおいて、ハードディスクドライブ３、４をデータ記録再生ユニット５ａ、５ｂと読み替えるものとし、説明を省略する。
【００２１】
なお、本実施の形態として２つのデータ記録再生ユニットを有したハードディスクドライブを用いたが、２つ以上のデータ記録再生ユニットを有しても良いことは実施の形態１と同様である。
【００２２】
また、本実施の形態としてハードディスクドライブを用いたが、衝撃保護状態への遷移を有するものであれば、他の情報記録再生装置でも同様である。
【産業上の利用可能性】
【００２３】
本発明にかかる情報記録再生装置は、物理的な衝撃によるハードディスクドライブのデータ永久破壊を防止することができるので、衝撃による影響を受けやすい記録装置を備えた、例えば携帯用ノートパソコンなどの情報記録再生装置に関して有用である。
【図面の簡単な説明】
【００２４】
【図１】本発明の実施の形態１における情報記録再生装置の構成例を示した図
【図２】本発明の情報記録再生装置の動作手順を示したフローチャート
【図３】本発明の実施の形態２における情報記録再生装置の構成例を示した図
【図４】従来の情報記録再生装置の構成例を示した図
【図５】従来の情報記録再生装置の動作手順を示したフローチャート
【符号の説明】
【００２５】
１  中央処理装置
２  制御回路
３、４、５  ハードディスクドライブ
５ａ、５ｂ  データ記録再生ユニット
【図１】
2006134463.tif 000003
【図２】
2006134463.tif 000004
【図３】
2006134463.tif 000005
【図４】
2006134463.tif 000006
【図５】
2006134463.tif 000007